(57)【要約】【課題】ガイドレールからのインナーレールの外れを防止しながら、ガイドレールからインナーレールを容易に取外し可能とするロールブラインドのスクリーン案内装置を提供する。【解決手段】スクリーン１の両側縁部をガイドレール３で昇降可能に支持したロールブラインドにおいて、ガイドレール３内に該ガイドレール３の全長に亘ってインナーレール２を配設し、インナーレール２の複数箇所に抜け防止部材８を取着し、該抜け防止部材８をガイドレール３に着脱可能に係合させることにより、インナーレール２をガイドレール３内に支持し、スクリーン１の両側縁部をインナーレール２で支持した。【選択図】        図１
2004211298.tif 000002
【特許請求の範囲】
【請求項１】
スクリーンの両側縁部をガイドレールで昇降可能に支持したロールブラインドにおいて、
前記ガイドレール内に該ガイドレールの全長に亘ってインナーレールを配設し、前記インナーレールの複数箇所に抜け防止部材を取着し、該抜け防止部材を前記ガイドレールに着脱可能に係合させることにより、前記インナーレールをガイドレール内に支持し、前記スクリーンの両側縁部を前記インナーレールで支持したことを特徴とするロールブラインドのスクリーン案内装置。
【請求項２】
前記抜け防止部材は、前記ガイドレール内においてスクリーンの幅方向に移動可能かつ回動可能としたことを特徴とする請求項１記載のロールブラインドのスクリーン案内装置。
【請求項３】
前記ガイドレールの内側面に係止片を形成し、前記抜け防止部材には前記係止片に係合する一対の鍔部を設け、前記鍔部のいずれかを押圧して撓ませることにより、前記係止片との係合を解除可能としたことを特徴とする請求項２記載のロールブラインドのスクリーン案内装置。
【請求項４】
前記鍔部には、前記抜け防止部材の回動に基づいて該鍔部が係止片と離間したとき、該係止片に係合してガイドレールからの抜けを防止するリブを設けたことを特徴とする請求項３記載のロールブラインドのスクリーン案内装置。
【請求項５】
前記ガイドレールの上端部には、前記インナーレールの上方への抜けを防止するストッパを設けたことを特徴とする請求項１乃至４のいずれかに記載のロールブラインドのスクリーン案内装置。
【発明の詳細な説明】
【０００１】
【発明の属する技術分野】
この発明は、スクリーンの両側部をガイドレールで案内するロールブラインドのスクリーン案内装置に関するものである。
【０００２】
【従来の技術】
ロールブラインドの一種類として、巻取軸から垂下されるスクリーンの両側部をガイドレールで案内しながら昇降するようにしたものがある。
【０００３】
このようなロールブラインドでは、ガイドレール内にインナーレールが設けられ、そのインナーレールでスクリーンの側縁部が上下方向に移動可能に支持される。また、ガイドレールに対しインナーレールがスクリーンの幅方向に若干移動可能に支持されて、スクリーンがガイドレール間で緩やかに支持されている。
【０００４】
このように構成されたロールブラインドでは、スクリーンの中央部が押されたとき、インナーレールのガイドレールからの外れを防止するストッパ装置が設けられる。
【０００５】
特許文献１では、インナーレールの外れを防止するために、ガイドレールの全長に亘って合成樹脂製カバーを嵌着した構成が開示されている。
特許文献２では、ガイドレールに相当する縦枠に掛止突条が設けられ、その掛止突条によりインナーレールに相当するガイドレールの外れを防止する構成が開示されている。
【０００６】
【特許文献１】
実公平７−１４６２６
【特許文献２】
特許第２６５９１４０号
【０００７】
【発明が解決しようとする課題】
上記のようなロールブラインドでは、スクリーンをガイドレールから取り外すために、インナーレールをガイドレールから取り外す際、インナーレールとガイドレールとの係合状態をガイドレール全長に亘って取り外す必要があるため、インナーレールの取外し作業が煩雑となるという問題点がある。
【０００８】
また、インナーレールはガイドレールに対し、スクリーンの幅方向にのみ移動可能に配設されているため、インナーレールの可動範囲が狭く、スクリーンが前後方向に押されたときの融通性に乏しいという問題点がある。
【０００９】
この発明の目的は、ガイドレールからのインナーレールの外れを防止しながら、ガイドレールからインナーレールを容易に取外し可能とするロールブラインドのスクリーン案内装置を提供することにある。
【００１０】
【課題を解決するための手段】
請求項１では、スクリーンの両側縁部をガイドレールで昇降可能に支持したロールブラインドにおいて、前記ガイドレール内に該ガイドレールの全長に亘ってインナーレールを配設し、前記インナーレールの複数箇所に抜け防止部材を取着し、該抜け防止部材を前記ガイドレールに着脱可能に係合させることにより、前記インナーレールをガイドレール内に支持し、前記スクリーンの両側縁部を前記インナーレールで支持した。
【００１１】
請求項２では、前記抜け防止部材は、前記ガイドレール内においてスクリーンの幅方向に移動可能かつ回動可能とした。
請求項３では、前記ガイドレールの内側面に係止片を形成し、前記抜け防止部材には前記係止片に係合する一対の鍔部を設け、前記鍔部のいずれかを押圧して撓ませることにより、前記係止片との係合を解除可能とした。
【００１２】
請求項４では、前記鍔部には、前記抜け防止部材の回動に基づいて該鍔部が係止片と離間したとき、該係止片に係合してガイドレールからの抜けを防止するリブを設けた。
【００１３】
請求項５では、前記ガイドレールの上端部には、前記インナーレールの上方への抜けを防止するストッパを設けた。
【００１４】
【発明の実施の形態】
以下、この発明を具体化した一実施の形態を図面に従って説明する。図１に示すロールブラインドは、巻取軸（図示しない）から昇降可能に吊下支持されたスクリーン１がインナーレール２に支持され、そのインナーレール２がガイドレール３に対し、所定の範囲内で回動可能にかつスクリーン１の幅方向に移動可能に支持されている。
【００１５】
その詳細な構成を説明すると、前記スクリーン１の両側縁にはファスナー４が縫着されている。図２に示すように、前記インナーレール２は、前記ガイドレール３の全長に亘って配設され、可撓性を有する合成樹脂で成形されるとともに、その先端側には筒状部５が形成される。
【００１６】
前記筒状部５の先端側には開口溝６が形成されている。そして、スクリーン１はその両側縁のファスナー４がインナーレール２の上端から筒状部５及び開口溝６内に挿通される。前記ファスナー４は、前記開口溝６からスクリーン１の幅方向には抜き出し不能である。
【００１７】
従って、スクリーン１の両側縁がインナーレール２に上下方向にのみ移動可能に支持される。前記インナーレール２の基端側には、断面楔型の突条７が形成される。
【００１８】
前記インナーレール２には、合成樹脂で成形された複数の抜け防止部材８が取着される。すなわち、前記抜け防止部材８には前記突条７を嵌合可能とした凹条９が形成され、その凹条９内に突条７を挿通することにより、インナーレール２に対し上下方向の複数箇所において抜け防止部材８が取着される。
【００１９】
前記抜け防止部材８には、前記凹条９の両側において一対の鍔部１０が形成されている。この鍔部１０は、山形となるように屈曲され、若干の可撓性を備えている。
【００２０】
前記各鍔部１０の先端部には、前記インナーレール２の筒状部５の両側に突出するリブ１１がそれぞれ形成されている。
前記ガイドレール３は、押し出し形材で一方を開口したチャネル状に形成され、その開口部近傍の対向する内側面には、同ガイドレール３の奥部に向かって突出する係止片１２が形成され、その係止片１２により同ガイドレール３の奥部に向かって開口する係止溝１３がそれぞれ形成されている。
【００２１】
図１に示すように、前記抜け防止部材８はインナーレール２に取着された状態で、前記ガイドレール３内において前記係止片１２より奥部に位置するように挿入される。そして、前記抜け防止部材８の鍔部１０は、前記係止片１２に係合する位置まで突出されている。
【００２２】
従って、インナーレール２は鍔部１０が係止片１２に当接する位置から、抜け防止部材８がガイドレール３の奥部側面に当接するまでの範囲で、スクリーン１の幅方向に移動可能となっている。
【００２３】
また、抜け防止部材８を取着したインナーレール２は、ガイドレール３内において回動可能であり、一方の鍔部１０が係止片１２に係合した状態で、他方の鍔部１０がガイドレール３の奥部に向かって回動されると、図５に示すように、やがてリブ１１の先端が前記係止溝１３に係合するようになっている。
【００２４】
前記インナーレール２の上端には、ファスナー案内部材１４が取着される。このファスナー案内部材１４の上端は、図３に示すように、前記ファスナー４をインナーレール２の筒状部５及び開口溝６内に案内するすり鉢状の斜面１５が形成されている。
【００２５】
前記ガイドレール３の上端部には、一対のインナーレールストッパ１６が取着される。このインナーレールストッパ１６の上端部は、ガイドレール３の中央部下方に向かって屈曲されて、図４に示すように、前記ファスナー案内部材１４の上縁に当接している。
【００２６】
従って、インナーレールストッパ１６は前記インナーレール２及びファスナー案内部材１４のガイドレール３から上方への抜けを防止している。
次に、上記のように構成されたスクリーン案内装置の動作を説明する。
【００２７】
スクリーンの昇降操作時には、スクリーン１の両側縁はインナーレール２を介してガイドレール３に案内される。従って、スクリーン１は両側縁がガイドレール３に支持された状態で昇降される。
【００２８】
スクリーン１の中央部が押されると、インナーレール２がスクリーン１の中央側に向かって斜め方向に引かれ、図５に示すように、抜け防止部材８が回動する。すなわち、抜け防止部材８の一方の鍔部１０が係止片１２に当接し、他方の鍔部１０がガイドレール３の奥部に移動し、やがてリブ１１が係止片１２を乗り越えて、係止溝１３に係合する。
【００２９】
この状態では、スクリーン１の中央部がさらに同方向へ押されても、鍔部１０が係止片１２に係合するとともに、リブ１１が係止溝１３に係合して、これ以上の移動及び回動が阻止される。
【００３０】
インナーレール２をガイドレール３から取り外す場合には、図６に示すように、各抜け防止部材８において、一方の鍔部１０の先端部をマイナスドライバー１７で押圧する。すると、一方の鍔部１０がインナーレール２の筒状部５側に撓んで、係止片１２との係合が外れる。
【００３１】
一方の鍔部１０と係止片１２との係合が外れれば、インナーレール２を回動させることにより他方の鍔部１０と係止片１２との係合も容易に外れ、この部分のインナーレール２をガイドレール３外へ容易に取り出し可能である。
【００３２】
このような操作を各抜け防止部材８について行えば、インナーレール２をガイドレール３から取外し可能となる。インナーレール２をガイドレール３から取り外せば、ファスナー４をインナーレール２の上方へ抜き出し可能となる。
【００３３】
上記のように構成されたロールブラインドでは、次に示す作用効果を得ることができる。
（１）インナーレール２の複数箇所に取着された抜け防止部材８により、インナーレール２のガイドレール３からの抜けを防止することができる。
（２）スクリーン１の両側縁を、インナーレール２を介してガイドレール３に昇降可能に支持することができる。
（３）ガイドレール３内において、インナーレール２を所定範囲内でスクリーン１の幅方向に移動可能にかつ回動可能に支持することができる。従って、インナーレール２の可動範囲を拡大して、スクリーン１の中央部が押された場合の融通性を十分に確保することができる。
（４）インナーレール２の複数箇所に取着された抜け防止部材８とガイドレール３の係止片１２との係合を解除することにより、インナーレール２をガイドレール３から容易に取り外すことができる。従って、スクリーン１のメンテナンス作業を容易に行うことができる。
（５）抜け防止部材８の一方の鍔部１０の先端部をマイナスドライバー等の冶具で押圧することにより、抜け防止部材８とガイドレール３との係合を容易に解除することができる。
（６）インナーレールストッパ１６により、インナーレール２のガイドレール３上方への抜けを防止することができる。
（７）インナーレール２の上端に取着したファスナー案内部材１４により、インナーレール２にファスナー４を容易に挿通することができる。
【００３４】
上記実施の形態は、次に示すように変更することもできる。
・前記鍔部１０、リブ１１、係止片１２及び係止溝１３の形状は、同様の作用を得るものであれば、その形状は任意に変更してもよい。
【００３５】
【発明の効果】
以上詳述したように、この発明はガイドレールからのインナーレールの外れを防止しながら、ガイドレールからインナーレールを容易に取外し可能とするロールブラインドのスクリーン案内装置を提供することができる。
【図面の簡単な説明】
【図１】一実施の形態のスクリーン案内装置を示す平面図である。
【図２】スクリーン案内装置を示す分解斜視図である。
【図３】ファスナー案内部材を示す平面図である。
【図４】インナーレールストッパ及びファスナー案内部材を示す正面図である。
【図５】スクリーン案内装置の動作を示す平面図である。
【図６】インナーレールの取外し操作を示す平面図である。
【符号の説明】
１          スクリーン
２          インナーレール
３          ガイドレール
８          抜け防止部材
【図１】
2004211298.tif 000003
【図２】
2004211298.tif 000004
【図３】
2004211298.tif 000005
【図４】
2004211298.tif 000006
【図５】
2004211298.tif 000007
【図６】
2004211298.tif 000008